(57)【要約】      （修正有）【課題】ゴルフのパター練習機でボールを目的に向かって何回繰り返し打ち出しても正確に同じ軌跡を描くことが出来る練習機を提供する。【解決手段】取り付け基部１にリンクアーム７を接続し前記リンクアームの終端にパター係止部を設けたパター練習機において、前記リングアームと前記パター係止部の中間に自在駒９を設け、該自在駒９と前記パター係止部を、自由に回転する周動軸で固定し、前記自在駒と前記リンクアームを、自由に回転する周動軸で固定する。前記周動軸と前記周動軸は、互いに直交させ、また、前記リンクアームは複数のリンクアームを直列に接続し周動軸を設けたものであって、該周動軸と前記周動軸を平行に設置して、該練習機を構成する。【選択図】図２
0003149633.tif 000002
【実用新案登録請求の範囲】
構成部品は、支柱取り付け板１と支柱２、支柱２に取り付ける、取り出しバー３、取り出しバー３には摺動面を持つ円形フランジ４−１が取り付けられている。更に、リンクアーム５の両端に摺動面を持つ円形のフランジ４−２，６−１を取り付けてある。
リンクアーム７の１方の端部には摺動面を持つ円形のフランジ６−２を取り付け他方端部にはパター打者と直角になる穴８が開けられている。更に、自転可能な自在駒９に組み込まれる自転可能な自在駒１５の部品等から組み立て構成されるパター練習機である。
構成は支柱取り付け板１に支柱２を垂直に取り付け、支柱のもう片方の先端に取り出しバー３は先端を打者側に向け９０度（直角）に固着されている、取り出しバー３の先端には摺動面を持つ円形フランジ４−１が取り付けられている。円形フランジ４−１面に、リンクアーム５に取り付けられている円形フランジ４−２を共通センター孔１１−１，１１−２を利用して滑動可能にセットする。リンクアーム５のもう一方の端部には円形フランジ６−１が取り付けられており、リンクアーム７の端部に取り付けられた円形フランジ６−２はリンクアーム５に取り付けられた円形フランジ６−１とを共通センター孔１２−１，１２−２を利用して滑動可能にセットする。更に、リンクアーム７のもう１方の端部に直角に開けられた孔８に回転可能な自在駒９に加工した周動軸を挿入しねじ孔１３を利用して係止する、回転可能な自在駒９の側面に開けた貫通孔１４に回転可能な自在駒１５の周動軸１６を挿入しネジ孔２０を利用して係止する。自在駒１５は１５−１，１５−２に分割しており、分割線上に孔１７を開け孔１７にパターシャフトを装着してネジ孔１８，１９を利用してボルト２１でパターフエイスを打者と直角にパターシャフトを固定する。
こうして組み立てられたパター練習機は２本のリンクアーム継ぎ手の折り曲げ角度の拡縮でパターのストローク範囲をカバーし、リンクアーム７の自由端部先端で直角に取り付けた回転可能な自在駒９と回転可能な自在駒９に直角に取り付けた回転可能な自在駒１５（１５−１，１５−２）は共に取り付け軸に対しスラスト方向に自由に角度変更可能である。
この練習機を使用してボールをセットして目的に向かってストロークした時パターフエイスは打者の身体と直角を保ち平行移動する専用装置である。しかもパターシャフトの寝かせ又は立て更に同時にパターフエイスの開閉も自由に変更可能である、個人の好みのスタイルでこの装置で繰り返し繰り返しストロークを練習することでこの平行移動感覚を脳と筋肉に記憶させ現場でのパターストロークの精度を向上させることを特徴とするパター練習機具である。
【考案の詳細な説明】
【技術分野】
【０００１】本発明はゴルフ練習の内のパター技術を習得するための練習機である。
【背景技術】
【０００２】パター練習には色々な治具や用具や機具が市場に氾濫している。
パターの基本は目標にむかって直線上に真っ直ぐ引いて、真っ直ぐ打ち出す、この動作を繰り返し正確に何度でも再現出来る練習機を求めている人が多い。
しかし現実に市販しているパター練習機は何かが欠けている物が多い。
〜１、パターの移動軌跡のみであるもの。
〜２、パター、打面の立てる、寝かせるが自由に出来ない。
〜３、パターの平行移動のみのストロークでプレイヤーの身体とフエイスの直角度保持が出来ない。
〜４、パター、打面の開、閉が自由に出来ない。
〜５、価格が高い
等のうち１，２項目は備えているが総てを備えている練習機がない。
【考案の開示】
【考案が解決しようとする課題】
【０００３】パター練習の基本は目標に向かって真っ直ぐ引いて真っ直ぐ打ち出すことであるが真っ直ぐ引いて真っ直ぐ打ち出してもパターフエイスがプレイヤーの身体と直角度がストロークの最初から最後まで確保出来ていないとボールの転がり方向が１定しない又ゴルファーは色々な体形が異なり更にプレースタイルも千差万別であり総てのゴルファーに基本である目標に向かって真っ直ぐ引いて真っ直ぐ打ち出すこと以外にパターを低く寝かせて構える人又はパターフエイスかぶせてトップスピンを打つ人更にはパターフエイスを開いてアッパーブローに打つ人等がいるが基本以外はどのようなゴルファーの要求にも応えられる練習機で、基本であるパターフエイスをプレイヤーの身体と直角を保持して，パタースタイルは何でも応えられる練習機を提供することにある。
勿論練習機のコストも抑えられる構造であること。
【課題を解決するための手段】
【０００４】上記課題を解決するために、本機は大きく分けて１０数個の部品により構成されており、支柱取り付け板１に支柱２を取り付け、支柱２の先端に取り出しバー３を直角に取り付けその先端には周動可能な円形フランジ４−１が取り付けられている。前記フランジ４−１にリンクアーム５の両端に取り付けられた周動可能な円形フランジのうちのフランジ４−２を共通センター孔１１−１、１１−２を使い係止する。もう一方の先端に取り付けられた周動可能な円形フランジ６−１にリンクアーム７の片側先端に取り付けられた周動可能な円形フランジ６−２が共通センター孔１２−１，１２−２を使い係止する。更に、リンクアーム７のもう一方の先端部に貫通孔８が開けられその孔８を利用して回転可能な自在駒９に加工した周動軸１０を挿入しネジ孔１３で係止する、回転可能な自在駒９の側面に加工された貫通孔１４に回転可能な自在駒１５に加工した周動軸１６が挿入し周動軸１６の先端のネジ孔２０で係止する。
貫通孔８と貫通孔１４に挿入した周動軸１０、１６はスラスト方向に自転可能であり貫通孔８と１４周動軸１６の間には隙間は無く滑動可能な状態である。回転可能な自在駒１５は１部分割（１５−１，１５−２）されており分割部線上に貫通孔１７が開放されこの孔にはパター２２のシャフトが係止される、係止方法は分割部を締結ボルト２１で締結される。こうして組み立てられたパター練習機周動部は総て滑動である。
フランジ面はリンクアーム幅より大きくして平行移動時の角度の振れを防止している又、周動軸１０、１６も太く長く孔との隙間を極小に押さえて角度の振れを防止している。
周動部全般に隙間を極小に押さえているためパターを平行にストロークさせても少しのがたも無く正確に平行移動が繰り返される。更に、身長の高い人、低い人又、パターをねかす人、立てる人更に、フエイス面をかぶせる人、開く人色々なスタイル、打ち方の異なる人達に使われても修正することなく２つの回転可能な自在駒９，１５が使用者の任意角度に対応出来て、目的である目標に向かって真っ直ぐ引いて真っ直ぐ打ち出ししかもパターフエイスがプレィヤーの身体と直角を確保して基本ストロークが正確に繰り返されるパター練習機。
【考案の効果】
【０００５】本発明によれば、当練習機を使用して練習を繰り返すことにより、パタースタイルや打ち方に関係なく、基本である目的に向かって真っ直ぐに引いて、真っ直ぐに打ち出すしかもプレイヤーの身体とパターフエイスは終始直角が確保されており、繰り返し繰り返し練習することで脳と筋肉にストローク感覚が記憶され現場での実戦の精度効果が上がることに繋がる。
【考案を実施するための最良の形態】
【０００６】次に、本発明の実施形態について図面を参照しつつ説明する。
図１は本実施形態の組み立て側面図を示す。
支柱取り付け板１に支柱２を垂直に固定し支柱の先端に取り出しバー３を直角に取り付け取り出しバー３の先端に周動可能な円形フランジ４−１を固着している。リンクアーム５の両端に取り付けた周動可能な円形フランジ４−２、６−１のうちの４−２フランジを前記フランジ４−１とをセンター孔１１−１，１１−２を利用して周動可能にして係止する。リンクアーム５のもう一方に取り付けたフランジ６−１にリンクアーム７に取り付けられた円形フランジ６−２を前記リンクアーム５に取り付けた円形フランジ６−１にセンター孔１２−１，１２−２を利用して周動可能にして係止する。更に、リンクアーム５のもう一方の端部側に開けられた孔８を利用して回転可能な自在駒９に加工した周動軸１０を挿入しネジ孔１３を利用して係止するが自在駒９はスラスト方向に周動可能にある。更に自在駒９の側面に貫通孔１４が開けておりその孔に、回転可能な自在駒１５に加工された周動軸１６を挿入し先端に加工したネジ孔２０を利用して係止する。自在駒１５は１部分割１５−１，１５−２されており分割線上にパター取り付け孔１７が開けられている、この孔にパター２２のシャフトが装着されボルト２１でパターを固定している。【０００７】この組み立てられた練習機でパターを目標に向かってストロークした時パターフエイスはプレイヤーの身体と直角を確保して真っ直ぐ後方と真っ直ぐ前方に直線軌道に規制される、しかし自在駒９はリンクアーム７に直交しており周動軸１０は自由に回転出来るためパターフエイスを開、閉が自由に出来る、開いてアッパーに打ち又、閉じてトップスピンを掛けることが出来る。更に、自在駒１５に加工した周動軸１６を回転可能な自在駒９に加工した貫通孔１４に挿入し先端に加工したネジ孔２０を使って係止して脱落防止している。回転可能な自在駒１５は回転可能な自在駒９に対し周動軸１６が直交しており回転可能な自在駒１５は回転可能な自在駒９に対しスラスト方向に自由に回転出来るために、パターシャフトを立てる、寝かす等パタースタイルは自由に選択できる。【０００８】上記２つの回転可能な自在駒９，１５はリンクアーム７と回転可能な自在駒９が直交し回転可能な自在駒９に回転可能な自在駒１５が９０度で直交しているために自在駒１５に取り付けられたパターはフエイスをプレイヤーの身体と直角を確保して目標方向にストロークしても直線上に平行移動以外は制限が無くパターフエイスの開閉とシャフトの立て、寝かせが同時に出来る機構を併せ持つパター練習機である。
更に、図面には無いが更にストロークを大きくしたい人には、支柱とリンクアームを長くすることも出来る、又リンクアーム５と７の間に１節追加することも出来る。目的機能に変化を起こすことは無い。又回転周動部の抵抗を更に減少させる必要時にはスラストベアリングを採用することも出来る。
当製品はリンクアームを繋ぐ節に円形フランジを使用したが、リンクアームに直接接合することも可能である。
【作用効果】
【０００９】このパター練習機を使って自分の自由なスタイルで基本ストロークを繰り返し練習を重ねると脳と筋肉にストローク感覚を記憶させ、現場での実戦において基本動作を応用してパター精度が上がり成績の上昇に繋がる練習機である。
【図面の簡単な説明】
【００１０】
【図１】本発明のパター練習機の組み立て側面図
【図２】本発明のパター練習機の組み立て正面図
【図３】回転可能駒１５
【図４】回転可能駒９
【図５】両端に円形フランジを取り付けたリンクアーム５
【図６】片側に円形フランジを取り付けたリンクアーム７
【符号の説明】
【００１１】１．  取り付け板
２．  支柱
３．  取り出しバー
４．  ４−１，４−２円形フランジ
５．  リンクアーム５
６．  ６−１，６−２円形フランジ
７．  リンクアーム７
８．  回転可能な自在駒９の取り付け孔
９．  回転可能な自在駒９
１０．自在駒９の周動軸
１１．１１−１，１１−２フランジ孔、４−１，４−２を締結孔
１２．１２−１，１２−２フランジ孔、６−１，６−２を締結孔
１３．回転可能な自在駒９の係止ネジ部
１４．回転可能な自在駒９の貫通孔
１５・回転可能な自在駒１５  １５−１、１５−２分割部
１６・回転可能な自在駒１５に加工した周動軸
１７・回転可能な自在駒１５のパター係止孔
１８・回転可能な自在駒１５の分割部係止孔
１９・回転可能な自在駒１５の分割部係止ネジ孔
２０・回転可能な自在駒１５の脱落防止ネジ
２１・回転可能な自在駒１５に装着したパター固定ボルト
２２・パター
【図１】
0003149633.tif 000003
【図２】
0003149633.tif 000004
【図３】
0003149633.tif 000005
【図４】
0003149633.tif 000006
【図５】
0003149633.tif 000007
【図６】
0003149633.tif 000008
【手続補正書】
【提出日】平成20年8月27日(2008.8.27)
【手続補正１】
【補正対象書類名】実用新案登録請求の範囲
【補正対象項目名】全文、
【補正方法】変更
【補正の内容】
【実用新案登録請求の範囲】
【請求項１】
土台となる固定板１にＬ字型に曲がった支柱２の端部を固定しもう１方の開放された端部３に円形フランジ４−１を取り付け中心には固定用の孔１１を加工している、リンクアーム５の両端部の表と裏に円形フランジ４−２、６−１を取り付けその内の片側フランジ４−２を開放されたＬ字型支柱端部３に取り付けたフランジ４−１に同心孔１１−２を使いボルトで固定する、フランジ間にはスラストベアリングが装着されている、又、リンクアーム５のもう１方の端部に取り付けた円形フランジ６−１に、リンクアーム７の片側端部に取り付けた円形フランジ６−２を同心孔１２−２を使いボルトで固定する、フランジ間にはスラストベアリングが装着されている、２つのリンクアーム５，７は２対の円形フランジとフランジ間に装着したスラストベアリングで支柱に対しスラスト方向以外に運動が制限される、リングアーム７のもう１方の端部にはアームと直交した孔８が開放され、その孔には長手方向に回転可能な軸を持つ４角い自在駒９の軸１０を挿入して端部１３で抜け止め係止している更に、前記自在駒９には取り付け軸と直角に孔１４が開放され、その孔に自在駒１５の長手方向に加工した軸１６が挿入され端部２０で抜け止め係止している、自在駒１５は部分的に分割１５−２されており分割線上にパターシャフトを固定する孔１７を開けている分割された部分をボルト２１で自在駒１５の本体にパターフエイスをリンクアーム５と直角にしたパターシャフトと同時に固定する、プレイヤーは装置と直角対面しパターストロークする時リンクアームと平行移動以外の運動が制限されている、しかし平行移動するパター２２自体の打面はリングアーム７に直角に取り付けた自在駒９と，自在駒９に直角に取り付けた自在駒１５、２つの駒は取り付け軸がスラスト方向に回転可能であるため２方向自由に角度変更が可能で自在駒９で開き、かぶせ、自在駒１５でライ角が自由に調整できる、この２つの動きがパターの平行移動と同時に出来ることを特徴とするパター練習機。
【手続補正書】
【提出日】平成20年12月24日(2008.12.24)
【手続補正１】
【補正対象書類名】実用新案登録請求の範囲
【補正対象項目名】全文
【補正方法】変更
【補正の内容】
【実用新案登録請求の範囲】
【請求項１】
取り付け基部にリンクアームを接続し前記リンクアームの終端にパター係止部を設けたパター練習機において、
（１）前記リングアームと前記パター係止部の中間に自在駒９を設け、
（２）該自在駒９と前記パター係止部は、自由に回転する周動軸１６で固定されている、
（３）前記自在駒と前記リンクアームは、自由に回転する周動軸１０で固定されている、
（４）前記周動軸１６と前記周動軸１０は、互いに直交する、
（５）前記リンクアームは複数のリンクアームを直列に接続し周動軸を設けたものであって、該周動軸と前記周動軸１０が平行である、
以上の（１）から（５）を特徴とするパター練習機。